(57)【要約】【課題】建物の躯体に取り付け可能であると共に、サッシの面内方向の水平方向において、サッシの連窓設置が可能となるフレーム、サッシユニット及び建物の壁構造を提供すること。【解決手段】建物の躯体に取り付け可能であり、前記建物の外壁に形成された開口部内に配置されるサッシを支持可能なフレームであって、前記サッシの面内方向における水平方向両側の位置に平行して立設される一対の縦フレームを備え、前記一対の縦フレームの各縦フレームは、前記面内方向における水平方向において前記サッシと隣接して配置される第１板部と、前記第１板部から前記面内方向における水平方向において前記サッシ側に突設され、前記サッシの面外方向において前記サッシに対して屋内側に隣接して配置される第２板部と、を備える。【選択図】図１
2019178567.tif 000002
【特許請求の範囲】
【請求項１】
建物の躯体に取り付け可能であり、前記建物の外壁に形成された開口部内に配置されるサッシを支持可能なフレームであって、
前記サッシの面内方向における水平方向両側の位置に平行して立設される一対の縦フレームを備え、
前記一対の縦フレームの各縦フレームは、前記面内方向における水平方向において前記サッシと隣接して配置される第１板部と、前記第１板部から前記面内方向における水平方向において前記サッシ側に突設され、前記サッシの面外方向において前記サッシに対して屋内側に隣接して配置される第２板部と、を備えることを特徴とするフレーム。
【請求項２】
前記各縦フレームは、横断面が前記第１板部及び前記第２板部から構成されるＬ字型形状を有しており、
前記一対の縦フレームのうち一方の縦フレームの第１板部は、前記面内方向における水平方向において、他方の縦フレームの第１板部と前記サッシを挟んで対向して配置され、
前記一方の縦フレームの第２板部は、前記一方の縦フレームの前記第１板部から前記面内方向における水平方向において前記他方の縦フレームに向かって突設されると共に、
前記他方の縦フレームの第２板部は、前記他方の縦フレームの前記第１板部から前記面内方向における水平方向において前記一方の縦フレームに向かって突設されることを特徴とする、請求項１に記載のフレーム。
【請求項３】
前記一対の縦フレーム間に架設される一対の横フレームを備え、
前記一対の縦フレーム及び前記一対の横フレームに囲まれる空間に、前記サッシが配置されることを特徴とする、請求項１又は２に記載のフレーム。
【請求項４】
前記各縦フレームの前記第１板部は、前記面内方向の水平方向において、前記サッシと前記外壁との間に配置されることを特徴とする、請求項１乃至３のいずれか１つに記載のフレーム。
【請求項５】
前記各縦フレームの前記第２板部は、前記面外方向において、前記サッシと前記外壁の屋内側に位置する断熱部材との間に配置されることを特徴とする、請求項１乃至４のいずれか１つに記載のフレーム。
【請求項６】
前記一対の縦フレームの前記第１板部の、前記サッシと反対側の面同士の距離は、平面モジュールの整数倍となることを特徴とする、請求項１乃至５のいずれか１つに記載のフレーム。
【請求項７】
請求項１乃至６のいずれか１つに記載のフレームと、
前記フレームに取り付けられる前記サッシと、を備え、
前記サッシの縦枠は、前記縦フレームの前記第１板部と前記第２板部とで区画される空間に格納されていることを特徴とするサッシユニット。
【請求項８】
請求項１乃至６のいずれか１つに記載のフレームを備えることを特徴とする建物の壁構造。
【発明の詳細な説明】
【技術分野】
【０００１】
本発明は、フレーム、サッシユニット及び建物の壁構造に関し、特に、建物の躯体に取り付けられ、建物の外壁に形成された開口部内に配置されるサッシを支持する、フレーム、サッシユニット及び建物の壁構造に関する。
【背景技術】
【０００２】
従来から、建物の外壁に開口部を形成し、この開口部周囲の強度を補強するために取り付けたフレームによって、開口部内に配置されるサッシを支持する壁構造が知られている。特許文献１には、左右の縦フレーム材に上下の横フレーム材を連結してフレーム体を構成し、このフレーム体の縦フレーム材と横フレーム材で囲まれた開口部にサッシ枠体を固着してなるパネルユニットが開示されている。また、特許文献２には、突条を有する開口部隣接部と非開口部に隣接して突条を有さない非開口部隣接部とが連なって構成される小口を有する外壁材の小口に隣接し、少なくともサッシを取り付けるための開口部フレームが開示されている。
【先行技術文献】
【特許文献】
【０００３】
【特許文献１】特開２００８−１２１３８１号公報
【特許文献２】特開２００８−２５５６７８号公報
【発明の概要】
【発明が解決しようとする課題】
【０００４】
しかしながら、特許文献１に記載のフレームとしてのフレーム体では、サッシ枠体の面内方向の水平方向において、サッシ枠体の外方に突出した部分を有する縦フレームとしての縦フレーム材を有するため、サッシ枠体の面内方向の水平方向において、サッシ枠体を含む複数のサッシを連窓設置（サッシを連接して設置）することが困難であるという問題がある。特許文献２に記載のフレームとしての開口部フレームにおける、縦フレームとしての開口部補強材についても同様の問題がある。
【０００５】
そこで、本発明の目的は、上記問題に鑑み、建物の躯体に取り付け可能であると共に、サッシの面内方向の水平方向において、サッシの連窓設置が可能となるフレーム、サッシユニット及び建物の壁構造を提供することである。
【課題を解決するための手段】
【０００６】
本発明の第１の態様としてのフレームは、建物の躯体に取り付け可能であり、前記建物の外壁に形成された開口部内に配置されるサッシを支持可能なフレームであって、前記サッシの面内方向における水平方向両側の位置に平行して立設される一対の縦フレームを備え、前記一対の縦フレームの各縦フレームは、前記面内方向における水平方向において前記サッシと隣接して配置される第１板部と、前記第１板部から前記面内方向における水平方向において前記サッシ側に突設され、前記サッシの面外方向において前記サッシに対して屋内側に隣接して配置される第２板部と、を備えることを特徴とするものである。
【０００７】
本発明の１つの実施形態として、前記各縦フレームは、横断面が前記第１板部及び前記第２板部から構成されるＬ字型形状を有しており、前記一対の縦フレームのうち一方の縦フレームの第１板部は、前記面内方向における水平方向において、他方の縦フレームの第１板部と前記サッシを挟んで対向して配置され、前記一方の縦フレームの第２板部は、前記一方の縦フレームの前記第１板部から前記面内方向における水平方向において前記他方の縦フレームに向かって突設されると共に、前記他方の縦フレームの第２板部は、前記他方の縦フレームの前記第１板部から前記面内方向における水平方向において前記一方の縦フレームに向かって突設されることが好ましい。
【０００８】
本発明の１つの実施形態としてのフレームは、前記一対の縦フレーム間に架設される一対の横フレームを備え、前記一対の縦フレーム及び前記一対の横フレームに囲まれる空間に、前記サッシが配置されることが好ましい。
【０００９】
本発明の１つの実施形態として、前記各縦フレームの前記第１板部は、前記面内方向の水平方向において、前記サッシと前記外壁との間に配置されることが好ましい。
【００１０】
本発明の１つの実施形態として、前記各縦フレームの前記第２板部は、前記面外方向において、前記サッシと前記外壁の屋内側に位置する断熱部材との間に配置されることが好ましい。
【００１１】
本発明の１つの実施形態として、前記一対の縦フレームの前記第１板部の、前記サッシと反対側の面同士の距離は、平面モジュールの整数倍となることが好ましい。
【００１２】
本発明の第２の態様としてのサッシユニットは、上記フレームと、前記フレームに取り付けられる前記サッシと、を備え、前記サッシの縦枠は、前記縦フレームの前記第１板部と前記第２板部とで区画される空間に格納されていることを特徴とするものである。
【００１３】
本発明の第３の態様としての建物の壁構造は、前記フレームを備えることを特徴とするものである。
【発明の効果】
【００１４】
本発明によれば、建物の躯体に取り付け可能であると共に、サッシの面内方向の水平方向において、サッシの連窓設置が可能となるフレーム、サッシユニット及び建物の壁構造を提供することができる。
【図面の簡単な説明】
【００１５】
【図１】本発明の一実施形態としてのフレームを示す斜視図である。
【図２】図１に示すフレームが適用された本発明の一実施形態としての建物の壁構造を示す縦断面図である。
【図３】図３（ａ）は、図２のＩ−Ｉ断面図であり、及び図３（ｂ）は図２の及びＩＩ−ＩＩ断面図である。
【図４】図１に示すフレームを用いてサッシを連窓設置した場合の一例を示す断面図である。
【発明を実施するための形態】
【００１６】
以下、本発明に係るフレーム、サッシユニット及び建物の壁構造の実施形態について、図１〜図４を参照して説明する。なお、各図において共通の部材には、同一の符号を付している。
【００１７】
まず、本発明に係るフレーム、サッシユニット及び壁構造を適用可能な建物の一例の概要を説明する。建物は、例えば、所定の平面モジュールを有する規格化建物である。規格化建物とは、規格化（標準化）された複数の部材の組み合わせにより構築される建物である。平面モジュールとは、建築において設計上の基準となる基本寸法を意味し、建物の各部分を一定の大きさの倍数で統一するときの基準となる大きさを意味する。
【００１８】
図１は、本発明に係るフレームの１つの実施形態としてのフレーム１を示す斜視図である。図１に示すように、フレーム１は、一対の縦フレーム１０及び２０と、この一対の縦フレーム１０及び２０間に架設された一対の横フレーム３０及び４０と、を備えている。このフレーム１は、建物の外壁に形成されるサッシ用開口部の強度低下を抑制する（開口部を補強する）ため、建物の躯体としての柱又は梁に取り付けられる、鋼製の開口補強フレームである。なお、本実施形態において「縦フレーム」とは、フレーム１が建物の躯体に取り付けられた状態で、鉛直方向に延在するフレーム材を意味し、「横フレーム」とは、フレーム１が建物の躯体に取り付けられた状態で、水平方向に延在するフレーム材を意味する。
【００１９】
また、図２は、図１に示すフレーム１が適用された本発明の１つの実施形態としての建物の壁構造９０を示す縦断面図である。換言すれば、図２に示す壁構造９０は、フレーム１及び後述するサッシ３を含むサッシユニット６０を備えている。図３（ａ）及び図３（ｂ）は、図２のＩ−Ｉ断面図及びＩＩ−ＩＩ断面図である。以下、図１〜図３を参照して、フレーム１及びフレーム１を適用した建物の壁構造９０について、詳細に説明する。なお、本明細書において「上」、「下」とは、鉛直方向の上、下を意味し、更に、本実施形態における「左」、「右」とは、壁構造９０を屋外側から屋内側に向かって見た場合の位置関係を意味している。
【００２０】
まず、フレーム１を含む壁構造９０の構成について説明する。図２、図３に示す壁構造９０を有する建物全体としては、例えば、角形鋼管の柱８及びＨ型鋼の梁（不図示）により建物の躯体が構成される２層構造の住宅とすることができる。図２、図３に示すように、壁構造９０は、建物の躯体の周囲に連接して立設され、建物の外壁を構成する複数の外装パネル材２と、この複数の外装パネル材２間に形成された外壁の開口部Ｘ内に配置されるサッシ３と、この複数の外装パネル材２の屋内側であって、建物の柱８の屋外側に設けられる断熱部材４と、この断熱部材４の屋外側に設けられた上述のフレーム１と、建物の柱８の屋内側に設けられる内装材５と、を備えている。
【００２１】
本実施形態の外装パネル材２は、軽量気泡コンクリート製のパネル（ＡＬＣパネル）であり、図３（ａ）、図３（ｂ）に示すように、建物の躯体を構成する柱８の周囲に連接して立設され、建物の外壁を形成する。また、隣接する外装パネル材２を面内方向における水平方向Ａ、又は鉛直方向に間隙を隔てて配置することにより、サッシ３が配置される外壁の開口部Ｘが形成される。図２、図３に示す本実施形態の開口部Ｘは、水平方向Ａの左右両側に位置する２枚の外装パネル材２である左側外装パネル材２ａ及び右側外装パネル材２ｂと、上下に位置する２枚の外装パネル材２である上側外装パネル材２ｃ及び下側外装パネル材２ｄとにより区画されている。なお、本実施形態の外装パネル材２はＡＬＣパネルであるが、外装パネル材の材質はこれに限られるものではなく、例えば、木質系や金属系のサイディング等を用いることもできる。ここで、外装パネル材２及び後述するサッシ３の「面内方向」とは、外装パネル材２及びサッシ３の外面に沿う方向であり、図３（ａ）、図３（ｂ）に示す「水平方向Ａ」とは、外装パネル材２及びサッシ３の面内方向における水平方向を示している。
【００２２】
サッシ３は、上述した開口部Ｘの縁部に沿って配置されるサッシ枠３ａと、このサッシ枠３ａ内に納められる障子（不図示）と、を備える。本実施形態のサッシ枠３ａは、方形の形状を有しており、鉛直方向に延在する左側縦枠５１ａ及び右側縦枠５１ｂと、水平方向に延在する上側横枠５２ａ及び下側横枠５２ｂとで構成されている。また、図２、図３では障子を図示していないが、サッシ枠３ａ内に納められる障子としては、引き違いに納められる外障子及び内障子により構成されるスライド式の障子としてもよく、サッシ枠３ａに対してヒンジ等により揺動自在に取り付けられたスイング式の障子としてもよい。
【００２３】
フレーム１は、上述したように、一対の縦フレーム１０及び２０と、一対の横フレーム３０及び４０と、を備えている。一対の縦フレーム１０及び２０は、建物の各階の上梁及び下梁に、取付金具等の接続部材を介してねじ、ビス、ボルト及びナット等の締結手段を用いて取り付けられ、鉛直方向に平行して立設される。より具体的には、図３（ｂ）に示すように、上梁及び下梁に取り付けられた一対の縦フレーム１０及び２０は、上述した開口部Ｘ内に配置されるサッシ３の両側の位置に平行して立設される。更に、上梁及び下梁に取り付けられた一対の縦フレーム１０及び２０は、開口部Ｘの上下に位置する２枚の上側外装パネル材２ｃ（図２参照）及び下側外装パネル材２ｄ（図２参照）の水平方向Ａの両側の位置に平行して立設される。また、図３（ａ）、図３（ｂ）に示すように、各縦フレーム１０及び２０は、横断面がＬ字型形状を有しており、水平方向Ａにおいて互いに対向するように配置されている。
【００２４】
一対の縦フレーム１０及び２０のうち、水平方向Ａにおいて左側に位置する一方の縦フレーム１０（左側縦フレーム１０）は、水平方向Ａにおいて、上側外装パネル材２ｃ、下側外装パネル材２ｄ、及びサッシ３の左側縦枠５１ａと隣接して配置される第１板部１１と、この第１板部１１から水平方向Ａにおいてサッシ３側に突設され、外装パネル材２及びサッシ３の面外方向Ｂにおいて、上側外装パネル材２ｃ、下側外装パネル材２ｄ、及びサッシ３の左側縦枠５１ａに対して屋内側に隣接して配置される第２板部１２と、を備えている。ここで、「面外方向Ｂ」とは、外装パネル材２及びサッシ３の外面に直交する方向であって、図３（ａ）、図３（ｂ）に示す水平方向Ａと直交する方向を示している。
【００２５】
また、一対の縦フレーム１０及び２０のうち、水平方向Ａにおいて右側に位置する他方の縦フレーム２０（右側縦フレーム２０）は、水平方向Ａにおいて上側外装パネル材２ｃ、下側外装パネル材２ｄ、及びサッシ３の右側縦枠５１ｂと隣接して配置される第１板部２１と、この第１板部２１から水平方向Ａにおいてサッシ３側に突設され、外装パネル材２及びサッシ３の面外方向Ｂにおいて上側外装パネル材２ｃ、下側外装パネル材２ｄ、及びサッシ３の右側縦枠５１ｂに対して屋内側に隣接して配置される第２板部２２と、を備えている。
【００２６】
図３（ａ）、図３（ｂ）に示すように、一方の縦フレーム１０の第１板部１１と、他方の縦フレーム２０の第１板部２１とは、水平方向Ａにおいて上側外装パネル材２ｃ、下側外装パネル材２ｄ、及びサッシ３を挟んで対向して配置されている。また、図３（ａ）、図３（ｂ）に示すように、一方の縦フレーム１０の第２板部１２は、一方の縦フレーム１０の第１板部１１の屋内側端部から水平方向Ａにおいて他方の縦フレーム２０に向かって突設されている。また、他方の縦フレーム２０の第２板部２２は、他方の縦フレーム２０の第１板部２１から水平方向Ａにおいて一方の縦フレーム１０に向かって突設されている。
【００２７】
なお、本実施形態の一方の縦フレーム１０及び他方の縦フレーム２０は横断面がＬ字型形状であり、一方の縦フレーム１０の第２板部１２は第１板部１１と一体成形されたものであり、第１板部１１の屋内側端部から連続して延設されている。また、他方の縦フレーム２０の第２板部２２は第１板部２１と一体成形されたものであり、第１板部２１の屋内側端部から連続して延設されている。但し、各縦フレームの第１板部及び第２板部は、一体成形により成形された構成に限られるものではなく、例えば、第１板部と第２板部とを別部材で構成し、両部材をねじやビス等の締結手段により締結して一体化することにより各縦フレームを形成するようにしてもよい。
【００２８】
また、各縦フレーム１０及び２０の第１板部１１及び２１は、水平方向Ａにおいて、サッシ３と外壁を構成する外装パネル材２との間に配置される。具体的には、図３（ａ）、図３（ｂ）に示すように、一方の縦フレーム１０の第１板部１１は、水平方向Ａの一方側において、上側外装パネル材２ｃ、下側外装パネル材２ｄ、及びサッシ３の左側縦枠５１ａと隣接し、水平方向Ａの他方側において、左側外装パネル材２ａと隣接している。換言すれば、一方の縦フレーム１０の第１板部１１は、水平方向Ａにおいて、左側外装パネル材２ａと、上側外装パネル材２ｃ、下側外装パネル材２ｄ、及びサッシ３の左側縦枠５１ａと、の間の位置で、鉛直方向に立設している。
【００２９】
また、図３（ａ）、図３（ｂ）に示すように、他方の縦フレーム２０の第１板部２１は、水平方向Ａの一方側において、上側外装パネル材２ｃ、下側外装パネル材２ｄ、及びサッシ３の右側縦枠５１ｂと隣接し、水平方向Ａの他方側において、右側外装パネル材２ｂと隣接している。換言すれば、他方の縦フレーム２０の第１板部２１は、水平方向Ａにおいて、右側外装パネル材２ｂと、上側外装パネル材２ｃ、下側外装パネル材２ｄ、及びサッシ３の右側縦枠５１ｂと、の間の位置で、鉛直方向に立設している。
【００３０】
このように、一対の縦フレーム１０及び２０の第１板部１１及び２１は、左側外装パネル材２ａ、右側外装パネル材２ｂ、上側外装パネル材２ｃ、下側外装パネル材２ｄ等の複数の外装パネル材２により形成される外壁層内に位置するように配置され、隣接する外装パネル材２間に挟まれる納まりとなるため、座屈やねじれの発生が抑制される。
【００３１】
また、本実施形態において、一対の縦フレーム１０及び２０の第１板部１１及び２１の、サッシ３と反対側の面同士の距離は、平面モジュールの整数倍となっている。このようにすることで、外壁や柱との納まりを標準化することができる。
【００３２】
また、一方の縦フレーム１０の第２板部１２は、第１板部１１の屋内側端部から上側外装パネル材２ｃ、下側外装パネル材２ｄ、及びサッシ３の左側縦枠５１ａの屋内側の面に沿うように突設され、他方の縦フレーム２０の第２板部２２は、第１板部２１の屋内側端部から上側外装パネル材２ｃ、下側外装パネル材２ｄ、及びサッシ３の右側縦枠５１ｂの屋内側の面に沿うように突設される。つまり、一対の縦フレーム１０及び２０の第２板部１２及び２２は、水平方向Ａにおいて、サッシ３の外方に突出していない。そのため、例えば、図２、図３に示す左側外装パネル材２ａの位置に、サッシ３とは異なる別のサッシを連窓設置しようとする場合に、一方の縦フレーム１０の第２板部１２が干渉することがないため、水平方向Ａにおいて容易にサッシの連窓設置が可能となる。サッシを連窓設置した構成の詳細については後述する（図４参照）。
【００３３】
換言すれば、サッシ３の左側縦枠５１ａは、一方の縦フレーム１０の第１板部１１と第２板部１２とで区画される空間に格納されている。また、サッシ３の右側縦枠５１ｂは、他方の縦フレーム２０の第１板部２１と第２板部２２とで区画される空間に格納されている。このようなサッシ３及びフレーム１を備えるパネルユニット６０とすれば、連窓させる場合でも各サッシの幅を最大限確保することができる。サッシを連窓設置した構成の詳細については後述する（図４参照）。
【００３４】
ここで、各縦フレーム１０及び２０の第２板部１２及び２２は、面外方向Ｂにおいて、サッシ３のサッシ枠３ａと、建物の外壁を構成する外装パネル材２の屋内側に位置する断熱部材４との間に配置される。より具体的に、一方の縦フレーム１０の第２板部１２は、面外方向Ｂにおいて、サッシ３のサッシ枠３ａにおける左側縦枠５１ａと、断熱部材４との間に配置される。また、他方の縦フレーム２０の第２板部２２は、面外方向Ｂにおいて、サッシ３のサッシ枠３ａにおける右側縦枠５１ｂと、断熱部材４との間に配置される。
【００３５】
なお、各縦フレーム１０及び２０の第２板部１２及び２２と、上側外装パネル材２ｃ及び下側外装パネル材２ｄとの間に間隙が形成される場合には、図３（ａ）に示すように、断熱材Ｚを挟み込むようにしてもよく、断熱材Ｚを配置せずに空隙としてもよい。
【００３６】
一対の横フレーム３０及び４０は、一対の縦フレーム１０及び２０間に架設され、一対の縦フレーム１０及び２０に対して溶接や、ねじやビス等の締結手段により接合されている。上述したサッシ３は、一対の縦フレーム１０及び２０、並びに一対の横フレーム３０及び４０に囲まれる空間に配置される。
【００３７】
図１に示すように、一対の横フレーム３０及び４０のうち上側に位置する一方の横フレーム３０（上側横フレーム３０）は、上側外装パネル材２ｃの下端と当接する上面及びサッシ３の上側横枠５２ａと当接する下面を有する底板部３１と、この底板部３１の屋内側端部から立設し、一対の縦フレーム１０及び２０の第２板部１２及び２２と当接する起立部３２と、を備えている。底板部３１は、サッシ３の上側横枠５２ａと当接する下面部分を含む第１底板部分３１ａと、この第１底板部分３１ａの屋外側端部から上側に起立した第２底板部分３１ｂと、この第２底板部分３１ｂの上端から屋外側に延在し、上側外装パネル材２ｃの下端と当接する上面部分を含む第３底板部分３１ｃと、この第３底板部分３１ｃの屋外側端部から垂下する第４底板部分３１ｄと、を備えている。
【００３８】
底板部３１は、鉛直方向に延在する第２底板部分３１ｂを備え、第１底板部分３１ａの鉛直方向位置と、第３底板部分３１ｃの鉛直方向位置とが異なるように構成されているため、上側外装パネル材２ｃと、サッシ３の上側横枠５２ａとの間に、ビスやボルト等の締結手段を納めることが可能な間隙が形成されている。サッシ３の上側横枠５２ａは、上側に向かって突設されている板状の突出部５２ａ１を有する。図２に示すように、サッシ３の上側横枠５２ａは、突出部５２ａ１を底板部３１の第４底板部分３１ｄに対して面外方向Ｂに重ね合わせた状態で両者をビスやボルト等の締結手段で締結することにより、横フレーム３０に取り付けられている。この際に締結手段は屋外側から挿通されており、締結手段の先端側は、上述した間隙に納められている。なお、図２に示すように、上側外装パネル材２ｃと、サッシ３の上側横枠５２ａとの間には、屋外側から目地部材Ｙが充填又は挿入されている。これにより、シール性を確保すると共に、上述の締結手段を覆い隠すことができる。
【００３９】
起立部３２は、底板部３１の屋内側端部である第１底板部分３１ａの屋内側端部から立設され、上側外装パネル材２ｃの屋内側の面に沿って延在する第１起立板部分３２ａと、この第１起立板部分３２ａの上端から屋外側へ向かって延在する第２起立板部分３２ｂと、この第２起立板部分３２ｂの屋外側端部から垂下し、上側外装パネル材２ｃの屋内側の面に当接する第３起立板部分３２ｃと、を備えている。起立部３２もまた、第２起立板部分３２ｂを備えるため、第１起立板部分３２ａと上側外装パネル材２ｃの屋内側の面との間に間隙が形成され、この間隙にビスやボルト等の締結手段を納めることが可能である。
【００４０】
なお、起立部３２は、面外方向Ｂにおいて、上側外装パネル材２ｃと、一対の縦フレーム１０及び２０の第２板部１２及び２２との間に位置しており、第１起立板部分３２ａの屋内側の面は、一対の縦フレーム１０及び２０の第２板部１２及び２２の屋外側の面と当接している。
【００４１】
また、図１、図２に示すように、一対の横フレーム３０及び４０のうち下側に位置する他方の横フレーム４０（下側横フレーム４０）は、サッシ３の下側横枠５２ｂと当接して支持する上面を有する天板部４１と、この天板部４１の屋内側端部から垂下される垂下部４２と、を備えている。天板部４１は、サッシ３の下側横枠５２ｂと当接して支持する上面部分を含む第１天板部分４１ａと、この第１天板部分４１ａの屋外側端部から下側に垂下した第２天板部分４１ｂと、この第２天板部分４１ｂの下端から屋内側に延在する第３天板部分４１ｃと、を備えている。サッシ３の下側横枠５２ｂは、下側に向かって突設されている板状の突出部５２ｂ１を有する。図２に示すように、サッシ３の下側横枠５２ｂは、突出部５２ｂ１を天板部４１の第２天板部分４１ｂに対して面外方向Ｂに重ね合わせた状態で両者をビスやボルト等の締結手段で締結することにより、横フレーム４０に取り付けられている。この際に締結手段は屋外側から挿通されており、締結手段の先端側は、鉛直方向の第１天板部分４１ａと第３天板部分４１ｃとの間の位置に納められている。なお、図２に示すように、下側外装パネル材２ｄと、サッシ３の下側横枠５２ｂとの間には、屋外側から目地部材Ｙが充填又は挿入されている。これにより、シール性を確保すると共に、上述の締結手段を覆い隠することができる。
【００４２】
垂下部４２は、天板部４１の屋内側端部である第１天板部分４１ａの屋内側端部から垂下され、下側外装パネル材２ｄの屋内側の面に沿って延在する第１垂下板部分４２ａと、この第１垂下板部分４２ａの下端から屋外側へ向かって延在する第２垂下板部分４２ｂと、この第２垂下板部分４２ｂの屋外側端部から立設され、下側外装パネル材２ｄの屋内側の面に当接する第３垂下板部分４２ｃと、を備えている。
【００４３】
また、垂下部４２は、面外方向Ｂにおいて、下側外装パネル材２ｄと、一対の縦フレーム１０及び２０の第２板部１２及び２２との間に位置しており、第１垂下板部分４２ａの屋内側の面は、一対の縦フレーム１０及び２０の第２板部１２及び２２の屋外側の面と当接している。
【００４４】
このように、本実施形態で示すサッシ３は、上述した下側横フレーム４０の天板部４１と直接当接することにより支持されるとともに、ねじやビス、ボルト等の締結手段によりサッシ３の上側横枠５２ａの突出部５２ａ１とフレーム１の上側横フレーム３０の底板部３１の第４底板部分３１ｄとが、また、サッシ３の下側横枠５２ｂの突出部５２ｂ１とフレーム１の下側横フレーム４０の天板部４１の第２天板部分４１ｂとが固定される構成である。
【００４５】
断熱部材４は、上述したフレーム１、外装パネル材２及びサッシ３の屋内側であって、柱８の屋外側に設けられている。具体的に、断熱部材４は、フレーム１、外装パネル材２、及びサッシ３のサッシ枠３ａの屋内側の面を覆うように設けられている。本実施形態のフレーム１における一対の縦フレーム１０及び２０並びに一対の横フレーム３０及び４０は、上述したように、上側外装パネル材２ｃ、下側外装パネル材２ｄ及びサッシ３の外形形状の角部に沿うように配置されており、面外方向Ｂにおいて、外装パネル材２及びサッシ３に対して屋内側及び屋外側に突出する部分を有していない。つまり、図３に示すように、フレーム１、外装パネル材２、及びサッシ３のサッシ枠３ａは、屋内側の面が略平面になるように組み立てられるため、フレーム１、外装パネル材２及びサッシ３のサッシ枠３ａの屋内側の面を覆うように断熱部材４を設置することが容易となる。また、フレーム１は、面外方向Ｂにおいて、断熱部材４よりも屋外側のみに位置する構成となるため、断熱性の高い壁構造を実現することができる。
【００４６】
本実施形態における断熱部材４は、フェノールフォーム製のソリッドなボード状断熱材を使用しているが、これに限られるものではなく、一定の外形を保持可能に成形されたソリッドな断熱材であればよく、例えば、押出発泡ポリスチレン（ＸＰＳ）製、ビーズ法ポリスチレンフォーム（ＥＰＳ）製などのソリッドなボード状断熱材を使用することも可能である。
【００４７】
内装材５は、柱８の屋内側に立設され、壁構造９０の屋内側の面を構成するものである。内装材５としては、例えば、石膏ボード等を用いることができる。なお、内装材５の柱８側の面（屋外側の面）には、内装材５を補強する木製の内装補強部材６としての補強枠や補強板が設けられている。また、サッシ３のサッシ枠３ａと内装材５との間には仕上げ材となる木製の枠材７が設けられており、上述の内装材５の水平方向Ａの端部は、枠材７に接合されている。なお、仕上げ材となる枠材７を用いずに、クロス巻きにより仕上げることも可能である。
【００４８】
以上のような構成を有する壁構造９０は、フレーム１における一対の縦フレーム１０及び２０が、水平方向Ａにおいて、サッシ３の外方に突出しないように納められているため、サッシ３の水平方向Ａにおける連窓設置が容易となる。図４は、図３（ｂ）に示す左側外装パネル材２ａに代えて、サッシ３とは別のサッシ１０３を連窓設置した場合を示す断面図である。図４に示すように、サッシ３の左側縦枠５１ａとサッシ１０３の右側縦枠１５１ｂとの間には、上述した一方の縦フレーム１０の第１板部１１と、サッシ１０３を支持するフレーム１０１における１つの縦フレーム１２０の第１板部１２１とが介在するのみであり、サッシ３とサッシ１０３とを水平方向Ａにおいて近接させて連窓設置することができる。また、縦フレーム１０及び１２０があるため、別途、方立を用いなくともサッシ３及びサッシ１０３の連窓設置が可能となる。なお、フレーム１０１の詳細構成、フレーム１０１の一対の縦フレーム間に設置される外装パネル材の詳細構成、及びサッシ１０３の詳細構成は、上述したフレーム１、上側外装パネル材２ｃ、下側外装パネル材２ｄ及びサッシ３と同様であるため、ここでは説明を省略する。
【００４９】
また、図４では、サッシ３の左側縦枠５１ａ、フレーム１における一方の縦フレーム１０、サッシ１０３の右側縦枠１５１ｂ、及びフレーム１０１における１つの縦フレーム１２０の屋内側に断熱部材４及び内装材５が配置されている。
【００５０】
更に、上述したように、フレーム１における一方の縦フレーム１０及びフレーム１０１における１つの縦フレーム１２０はいずれも、その上下端部が上梁及び下梁に固定され、上梁と下梁との間で鉛直方向に延在しているため、サッシ３及びサッシ１０３の上下位置は、上梁と下梁との間であれば同じ位置である必要はなく、上下方向にずらして異なる位置として、水平方向Ａにおいて連窓設置することも可能である。
【００５１】
このように、本実施形態のフレーム１（フレーム１０１も同様）によれば、鉛直方向の上下位置の違いによらず、水平方向Ａにおけるサッシの連窓設置が容易となり、サッシの配置に関する設計の自由度を向上させることができる。
【００５２】
また、上述したように、フレーム１における一方の縦フレーム１０及びフレーム１０１における１つの縦フレーム１２０はいずれも、その上下端部が上梁及び下梁に固定されているため、縦フレーム１０の第１板部１１と縦フレーム１２０の第１板部１２１とを当接させる必要はなく、また、ねじやビス等の締結手段により両者を相互に固定する必要もないが、締結手段により両者を当接した状態で接合するようにしてもよい。
【００５３】
本発明に係るフレーム、サッシユニット、及び、建物の壁構造は、上述の実施形態で特定されるものに限定されるものではなく、特許請求の範囲に従う範囲で種々の変更が可能である。例えば、図４では２つのサッシ３及び１０３の連窓設置を示したが、３つ以上のサッシを連窓設置することも可能である。また、図２、図３では、上側外装パネル材２ｃと下側外装パネル材２ｄとの間に１つのサッシ３を配置する構成としたが、鉛直方向において３つ以上の外装パネル材２を配置し、鉛直方向において隣接する２つの外装パネル材２間の間隙を複数設け、その複数の間隙それぞれにサッシを配置する構成としてもよい。このような構成は、一対の縦フレーム間に架設される横フレームの数を、配置されるサッシの数に応じて増加させることにより容易に実現することができる。
【産業上の利用可能性】
【００５４】
本発明は、フレーム、サッシユニット及び建物の壁構造に関し、特に、建物の躯体に取り付けられ、建物の外壁に形成された開口部内に配置されるサッシを支持するフレーム、サッシユニット及び建物の壁構造に関する。
【符号の説明】
【００５５】
１、１０１：フレーム
２：外装パネル材
２ａ：左側外装パネル材
２ｂ：右側外装パネル材
２ｃ：上側外装パネル材
２ｄ：下側外装パネル材
３、１０３：サッシ
３ａ：サッシ枠
４：断熱部材
５：内装材
６：内装補強部材
７：枠材
８：柱
１０：縦フレーム
１１：第１板部
１２：第２板部
２０：縦フレーム
２１：第１板部
２２：第２板部
３０：横フレーム
３１：底板部
３１ａ：第１底板部分
３１ｂ：第２底板部分
３１ｃ：第３底板部分
３１ｄ：第４底板部分
３２：起立部
３２ａ：第１起立板部分
３２ｂ：第２起立板部分
３２ｃ：第３起立板部分
４０：横フレーム
４１：天板部
４１ａ：第１天板部分
４１ｂ：第２天板部分
４１ｃ：第３天板部分
４２：垂下部
４２ａ：第１垂下板部分
４２ｂ：第２垂下板部分
４２ｃ：第３垂下板部分
５１ａ：左側縦枠
５１ｂ：右側縦枠
５２ａ：上側横枠
５２ａ１：突出部
５２ｂ：下側横枠
５２ｂ１：突出部
６０：サッシユニット
９０：壁構造
１２０：縦フレーム
１２１：第１板部
Ａ：外装パネル材及びサッシの面内方向における水平方向
Ｂ：外装パネル材及びサッシの面外方向
Ｘ：開口部
Ｙ：目地部材
Ｚ：断熱材
【図１】
2019178567.tif 000003
【図２】
2019178567.tif 000004
【図３】
2019178567.tif 000005
【図４】
2019178567.tif 000006